(57)【要約】      （修正有）【課題】デジタルデータの受け渡しを容易にしながら、そのセキュリティを確保する。【解決手段】サービスの実施側の鍵管理サーバ４２が、前記デジタルデータの受け取りを行うために用いる記録メディア５６に対応する暗号鍵と復号鍵を生成し、復号鍵を、記録メディア５６と対応付けてデータベース４４に記録するステップと、サービスの実施側の店舗端末４６が、記録メディア５６に対応して生成された暗号鍵を記録メディア５６に記録するステップと、サービスの利用者側の利用者端末５２が、記録メディア５６から該暗号鍵を取得し、選択されたデジタルデータを、該暗号鍵を用いて暗号化し、記録メディア５６に記録するステップと、店舗端末４６が、該暗号化されたデジタルデータを記録された記録メディア５６に対応する復号鍵をデータベース４４から取得し、該復号鍵を用いて復号化するステップによってサービスの利用者からデジタルデータの受け取りを行う。【選択図】図１
2007082064.tif 000002
【特許請求の範囲】
【請求項１】
デジタルデータを受け取り、該デジタルデータを用いた加工品の提供を行うサービスを実施するためのデジタルデータ加工品提供サービス実施方法であって、
前記サービスの実施側の管理する管理端末が、前記デジタルデータの受け取りを行うために用いる記録メディアに対応する暗号鍵と復号鍵を生成し、前記復号鍵を、前記記録メディアと対応付けてデータベースに記録するステップと、
前記サービスの実施側の管理する管理端末が、前記記録メディアに対応して生成された前記暗号鍵を前記記録メディアに記録するステップと、
前記サービスの利用者側の管理する端末が、前記暗号鍵が記録された前記記録メディアから前記暗号鍵を取得し、選択されたデジタルデータを、前記暗号鍵を用いて暗号化し、前記暗号化したデジタルデータを前記記録メディアに記録するステップと、
前記サービスの実施側の管理する管理端末が、前記サービスの利用者側の管理する端末によって前記暗号化されたデジタルデータを記録された前記記録メディアに対応する前記復号鍵を前記データベースから取得し、前記暗号化されたデジタルデータを、前記復号鍵を用いて復号化するステップとを含み、
前記復号化するステップによって前記サービスの利用者から前記デジタルデータの受け取りを行うデジタルデータ加工品提供サービス実施方法。
【請求項２】
記録メディアを用いてデジタルデータの受け取りを行うデジタルデータ受け取り方法であって、
前記記録メディアには、前記記録メディアに対応して生成された暗号鍵と、前記暗号鍵を用いて暗号化された前記デジタルデータとが記録されており、
コンピュータが、前記記録メディアに対応して生成されてデータベースに記録されている復号鍵を、前記データベースから取得するステップと、
前記コンピュータが、前記暗号化されたデジタルデータを、前記復号鍵を用いて復号化するステップとを含むデジタルデータ受け取り方法。
【請求項３】
請求項２記載のデジタルデータ受け取り方法であって、
前記デジタルデータが、画像データと、画像データと音データの複合データの少なくとも一方を含むデジタルデータ受け取り方法。
【請求項４】
コンピュータに、請求項２又は３記載のデジタルデータ受け取り方法の各ステップを実行させるためのデジタルデータ受け取りプログラム。
【請求項５】
デジタルデータの受け取りを行うために用いる記録メディアを作成する記録メディア作成方法であって、
コンピュータが、前記記録メディアに対応して生成された、前記デジタルデータを暗号化するための暗号鍵を前記記録メディアに記録するステップを含む記録メディア作成方法。
【請求項６】
請求項５記載の記録メディア作成方法であって、
前記デジタルデータが、画像データと、画像データと音データの複合データの少なくとも一方を含む記録メディア作成方法。
【請求項７】
コンピュータに、請求項５又は６記載の記録メディア作成方法の各ステップを実行させるための記録メディア作成プログラム。
【請求項８】
デジタルデータの暗号化及び復号化に必要な暗号鍵と復号鍵の管理を行う鍵管理方法であって、
コンピュータが、前記デジタルデータの受け取りを行うために用いる記録メディアに対応する前記暗号鍵と前記復号鍵を生成するステップと、
前記コンピュータが、前記復号鍵を、前記記録メディアと対応付けてデータベースに記録するステップとを含む鍵管理方法。
【請求項９】
請求項８記載の鍵管理方法であって、
前記デジタルデータが、画像データと、画像データと音データの複合データの少なくとも一方を含む鍵管理方法。
【請求項１０】
コンピュータに、請求項８又は９記載の鍵管理方法の各ステップを実行させるための鍵管理プログラム。
【請求項１１】
暗号化されたデジタルデータを生成する暗号化デジタルデータ生成方法であって、
コンピュータが、記録メディアに記録されている、前記記録メディアに対応して生成された暗号鍵を、前記記録メディアから取得するステップと、
前記コンピュータが、指定されたデジタルデータを、前記暗号鍵を用いて暗号化するステップと、
前記コンピュータが、前記暗号化した前記デジタルデータを前記記録メディアに記録するステップとを含む暗号化デジタルデータ生成方法。
【請求項１２】
請求項１１記載の暗号化デジタルデータ生成方法であって、
前記デジタルデータが、画像データと、画像データと音データの複合データの少なくとも一方を含む暗号化デジタルデータ生成方法。
【請求項１３】
コンピュータに、請求項１１又は１２記載の暗号化デジタルデータ生成方法の各ステップを実行させるための暗号化デジタルデータ生成プログラム。
【請求項１４】
デジタルデータの受け取りを行うために用いる記録メディアであって、
前記記録メディアに対応して生成された、前記デジタルデータを暗号化するための暗号鍵が記録された記録メディア。
【請求項１５】
デジタルデータの受け取りを行うために用いる記録メディアであって、
前記記録メディアに対応して生成された、前記デジタルデータを暗号化するための暗号鍵と、
請求項１３記載の暗号化デジタルデータ生成プログラムとが記録された記録メディア。
【発明の詳細な説明】
【技術分野】
【０００１】
本発明は、デジタルデータを受け取り、該デジタルデータを用いた加工品の提供を行うサービスを実施するためのデジタルデータ加工品提供サービス実施方法に関する。
【背景技術】
【０００２】
従来、画像データ等のデジタルデータを使って写真プリントや写真集を作成するサービスを実施するためのシステム（例えば特許文献１参照）では、インターネット経由でデジタルデジタルデータを受け取る方式がしばしば利用される。例えば、サービスを利用する利用者は、自身の持つコンピュータからインターネット等を介して、デジタルデータをサービス実施側の管理するサーバに送信する。この送信に先立っては、送信対象となるデジタルデータを圧縮し、サーバへの送信開始に際しては、ユーザアカウントとパスワードによるセキュリティ措置が講じられる。
【０００３】
また、インターネットを介さず、デジタルデータを記録した記録メディアを、サービスを実施している店舗に直接持っていくことも考えられる。
【０００４】
【特許文献１】特開２００４−３３１７０４号公報
【発明の開示】
【発明が解決しようとする課題】
【０００５】
上述したようにインターネットにてデジタルデータを受け取る方法では、デジタルデータが大容量になると、送信者側に膨大な送信時間を強いることになる。さらに、受け側のシステムにも膨大な負荷が発生し、そのための受け側サーバへのシステム構築への投資が高価になってしまう。また、持ち運び可能な記録メディアは便利であるが、盗難、紛失等により第三者が所有する事態が起きてしまった場合、情報が漏えいしてしまうという恐れがあった。
【０００６】
本発明は、上記事情に鑑みてなされたものであり、デジタルデータを用いた加工品の提供を行うサービスにおいて、デジタルデータの受け渡しを容易にしながら、そのセキュリティを確保することのできるデジタルデータ加工品提供サービス実施方法を提供することを目的とする。
【課題を解決するための手段】
【０００７】
（１）本発明のデジタルデータ加工品提供サービス実施方法は、デジタルデータを受け取り、該デジタルデータを用いた加工品の提供を行うサービスを実施するためのデジタルデータ加工品提供サービス実施方法であって、前記サービスの実施側の管理する管理端末が、前記デジタルデータの受け取りを行うために用いる記録メディアに対応する暗号鍵と復号鍵を生成し、前記復号鍵を、前記記録メディアと対応付けてデータベースに記録するステップと、前記サービスの実施側の管理する管理端末が、前記記録メディアに対応して生成された前記暗号鍵を前記記録メディアに記録するステップと、前記サービスの利用者側の管理する端末が、前記暗号鍵が記録された前記記録メディアから前記暗号鍵を取得し、選択されたデジタルデータを、前記暗号鍵を用いて暗号化し、前記暗号化したデジタルデータを前記記録メディアに記録するステップと、前記サービスの実施側の管理する管理端末が、前記サービスの利用者側の管理する端末によって前記暗号化されたデジタルデータを記録された前記記録メディアに対応する前記復号鍵を前記データベースから取得し、前記暗号化されたデジタルデータを、前記復号鍵を用いて復号化するステップとを含み、前記復号化するステップによって前記サービスの利用者から前記デジタルデータの受け取りを行う。
【０００８】
（２）本発明のデジタルデータ受け取り方法は、記録メディアを用いてデジタルデータの受け取りを行うデジタルデータ受け取り方法であって、前記記録メディアには、前記記録メディアに対応して生成された暗号鍵と、前記暗号鍵を用いて暗号化された前記デジタルデータとが記録されており、コンピュータが、前記記録メディアに対応して生成されてデータベースに記録されている復号鍵を、前記データベースから取得するステップと、前記コンピュータが、前記暗号化されたデジタルデータを、前記復号鍵を用いて復号化するステップとを含む。
【０００９】
（３）本発明のデジタルデータ受け取り方法は、（２）記載のデジタルデータ受け取り方法であって、前記デジタルデータが、画像データと、画像データと音データの複合データの少なくとも一方を含む。
【００１０】
（４）本発明のデジタルデータ受け取りプログラムは、コンピュータに、（２）又は（３）記載のデジタルデータ受け取り方法の各ステップを実行させるためのプログラムである。
【００１１】
（５）本発明の記録メディア作成方法は、デジタルデータの受け取りを行うために用いる記録メディアを作成する記録メディア作成方法であって、コンピュータが、前記記録メディアに対応して生成された、前記デジタルデータを暗号化するための暗号鍵を前記記録メディアに記録するステップを含む。
【００１２】
（６）本発明の記録メディア作成方法は、（５）記載の記録メディア作成方法であって、前記デジタルデータが、画像データと、画像データと音データの複合データの少なくとも一方を含む。
【００１３】
（７）本発明の記録メディア作成プログラムは、コンピュータに、（５）又は（６）記載の記録メディア作成方法の各ステップを実行させるためのプログラムである。
【００１４】
（８）本発明の鍵管理方法は、デジタルデータの暗号化及び復号化に必要な暗号鍵と復号鍵の管理を行う鍵管理方法であって、コンピュータが、前記デジタルデータの受け取りを行うために用いる記録メディアに対応する前記暗号鍵と前記復号鍵を生成するステップと、前記コンピュータが、前記復号鍵を、前記記録メディアと対応付けてデータベースに記録するステップとを含む。
【００１５】
（９）本発明の鍵管理方法は、（８）記載の鍵管理方法であって、前記デジタルデータが、画像データと、画像データと音データの複合データの少なくとも一方を含む。
【００１６】
（１０）本発明の鍵管理プログラムは、コンピュータに、請求項８又は９記載の鍵管理方法の各ステップを実行させるためのプログラムである。
【００１７】
（１１）本発明の暗号化デジタルデータ生成方法は、暗号化されたデジタルデータを生成する暗号化デジタルデータ生成方法であって、コンピュータが、記録メディアに記録されている、前記記録メディアに対応して生成された暗号鍵を、前記記録メディアから取得するステップと、前記コンピュータが、指定されたデジタルデータを、前記暗号鍵を用いて暗号化するステップと、前記コンピュータが、前記暗号化した前記デジタルデータを前記記録メディアに記録するステップとを含む。
【００１８】
（１２）本発明の暗号化デジタルデータ生成方法は、（１１）記載の暗号化デジタルデータ生成方法であって、前記デジタルデータが、画像データと、画像データと音データの複合データの少なくとも一方を含む。
【００１９】
（１３）本発明の暗号化デジタルデータ生成プログラムは、コンピュータに、（１１）又は（１２）記載の暗号化デジタルデータ生成方法の各ステップを実行させるためのプログラムである。
【００２０】
（１４）本発明の記録メディアは、デジタルデータの受け取りを行うために用いる記録メディアであって、前記記録メディアに対応して生成された、前記デジタルデータを暗号化するための暗号鍵が記録されたものである。
【００２１】
（１５）本発明の記録メディアは、デジタルデータの受け取りを行うために用いる記録メディアであって、前記記録メディアに対応して生成された、前記デジタルデータを暗号化するための暗号鍵と、（１３）記載の暗号化デジタルデータ生成プログラムとが記録されたものである。
【発明の効果】
【００２２】
本発明によれば、デジタルデータを用いた加工品の提供を行うサービスにおいて、デジタルデータの受け渡しを容易にしながら、そのセキュリティを確保することのできるデジタルデータ加工品提供サービス実施方法を提供することができる。
【発明を実施するための最良の形態】
【００２３】
以下、本発明の実施形態として、デジタルデータを受け取り、該デジタルデータを用いた加工品の提供を行うサービスを実施するためのデジタルデータ加工品提供サービス実施システムについて図面を参照して説明する。このサービスは、例えば、サービス実施側がサービス利用者から静止画像データを受け取り、受け取った静止画像データから写真プリントやアルバム、画像をプリントしたＴシャツやマグカップ等の加工品を作成してサービス利用者に提供したり、サービス実施側がサービス利用者から静止画像データや動画像データ（静止画像データと音データの複合データ）を受け取り、受け取ったデータをＣＤやＤＶＤ等に記録してサービス利用者に提供したりするものである。
このようなサービスでは、大容量のデジタルデータをサービス利用者からサービス実施側に渡す必要があるため、データを渡す手段としてインターネット等を利用すると、上述したような課題が発生してしまう。そこで、本実施形態では、サービス利用者が、記録メディアにデジタルデータを記録し、この記録メディアを郵送や持ち込み等の形でサービス実施側に渡すことで、デジタルデータの受け渡しを行う方式を採用する。このような記録メディアを以下では通いメディアという。通いメディアは、他人の手にわたってしまうと、プライベートな情報が漏洩することになり問題である。このため、本実施形態のシステムでは、この情報の漏洩を防ぐ仕組みを提供する。以下では、大容量のデジタルデータを記録可能で且つ持ち運びが容易である通いメディアとしてＵＳＢフラッシュメモリを用いるものとする。
【００２４】
図１は、本発明の実施形態を説明するためのデジタルデータ加工品提供サービス実施システムの概略構成を示す図である。
図１に示すシステムは、サービス実施側の管理する店舗端末４６および鍵管理サーバ４２と、サービス利用者が管理する利用者端末５２とを備える。店舗端末４６は、サービスの受付を行う店舗４０に設置される。店舗端末４６と鍵管理サーバ４２はイントラネット等の閉じたネットワークによって接続されており、鍵管理サーバ４２へは店舗端末４６からしかアクセスできないようになっている。店舗端末４６と利用者端末５２は、例えばコンピュータであり、それぞれ、通いメディア５６を接続可能なＵＳＢ端子を有する。
【００２５】
ここで、図１に示すシステムを利用したサービスの流れについて簡単に説明する。
まず、サービス実施側は、デジタルデータを暗号化するための暗号鍵を記録した通いメディア５６を作成し、これをサービス利用者に提供する。通いメディア５６に記録される暗号鍵と、これに対応する復号鍵は鍵管理サーバ４２で生成され、データベース４４に記録される。サービス利用者は、通いメディア５６を受け取った後、利用者端末５２にて、通いメディア５６に記録された暗号鍵を用いてデジタルデータの暗号化を行う。サービス利用者は、暗号化したデジタルデータを記録した通いメディア５６をサービス受付店舗４０に郵送し又は持ち込み、加工品の作成を依頼する。店舗端末４６は、受け取った通いメディア５６に対応する復号鍵を鍵管理サーバ４２から取得し、この通いメディア５６に記録されたデジタルデータを、取得した復号鍵で復号化する。これにより、サービス利用者から渡されたデジタルデータの受け取りを完了する。そして、受け取ったデジタルデータに基づいて加工品を作成し、作成した加工品をサービス利用者に提供する。
【００２６】
以上の処理を行うために、店舗端末４６には、通いメディア５６を作成するための通いメディア作成プログラムと、デジタルデータを復号化するための復号化プログラムがインストールされ、鍵管理サーバ４２には、暗号鍵と復号鍵を管理するための鍵管理プログラムがインストールされ、利用者端末５２には、デジタルデータを暗号化するための暗号化プログラムがインストールされている。以下では、これらのプログラムを実行した店舗端末４６、鍵管理サーバ４２、利用者端末５２の個々の動作を説明する。尚、暗号化には、非対称鍵暗号化方式を使用することを前提とする。これは、暗号化を必要とするアプリケーションと復号化を必要とするアプリケーションが別の鍵を持つことで、データの安全性の確保が可能となるためである。
【００２７】
図２は、図１に示す店舗端末４６の通いメディア作成プログラム実行時と鍵管理サーバ４２の鍵管理プログラム実行時のそれぞれの処理内容を説明するフローチャートである。
まず、ステップＳ４０にて、店舗端末４６が通いメディア作成プログラムを起動する。次いで、店舗端末４６は、ステップＳ４１にて通いメディア５６が接続されているか否かを判断する。店舗端末４６は、通いメディアが接続されていなければ（ＮＯ）、ステップＳ４２にてエラーメッセージを表示する。ステップＳ４１にて、通いメディア５６が接続されていれば（ＹＥＳ）、店舗端末４６は、鍵管理サーバ４２にアクセスするためのＩＤとパスワードの入力を要求する。
【００２８】
ステップＳ４３にて、ＩＤとパスワードがＧＵＩを介して入力されると、鍵管理サーバ４２が、入力されたＩＤとパスワードを、ステップＳ４４にて認証する。ステップＳ４５の認証の結果、認証できない場合（ＮＯ）、鍵管理サーバ４２は、その旨を店舗端末４６に通知し、店舗端末４６にてエラーメッセージが表示される（ステップＳ４２）。ステップＳ４５の認証の結果、認証できた場合（ＹＥＳ）、鍵管理サーバ４２は、ステップＳ４６にて、店舗端末４６に接続されている通いメディア５６に対応する通いメディアＩＤ、暗号鍵、及び復号鍵を生成する。次いで、ステップＳ４７にて、生成した通いメディアＩＤと、暗号鍵と、復号鍵とを対応付けて管理サーバ４２のデータベース４４に記録する。尚、データベース４４には、暗号鍵は記録しなくても構わない。次に、鍵管理サーバ４２は、ステップＳ４８に進み、生成した通いメディアＩＤと暗号鍵を店舗端末４６に送信する。店舗端末４６は、ステップＳ４９にて、通いメディアＩＤと暗号鍵を受信し、これらを通いメディア５６に記録する。
【００２９】
以上の処理により、サービス利用者に渡すための通いメディア５６の作成が完了する。次に、ここで作成した通いメディア５６をサービス利用者に渡した後の利用者端末５２での処理について説明する。
【００３０】
図３は、図１に示す利用者端末５２の暗号化プログラム実行時の処理内容を説明するフローチャートである。
サービス利用者は、ステップＳ５０にて、サービス受付店舗４０にて受け取った通いメディア５６を利用者端末５２に接続し、次いで、ステップＳ５１にて、デジタルデータを暗号化する暗号化プログラムを起動する。次いで、利用者端末５２は、利用者の操作に従って、ステップＳ５２にて、指定された画像データをハードディスク等から取得し、作業メモリに記憶する。次いで、利用者端末５２は、ステップＳ５３にて、通いメディア５６から暗号鍵を取得し、作業メモリに記憶する。次いで、利用者端末５２は、ステップＳ５４にて、指定された画像データを取得した暗号鍵によって作業メモリ上で暗号化する。その後、利用者端末５２は、ステップＳ５５にて、暗号化した画像データを通いメディア５６に記録し、一連の処理を終了する。なお、暗号鍵が改ざんされていた場合は、正確な暗号化を行うことはできない。
【００３１】
以上の処理により、サービス利用者は、加工品の依頼に必要な画像データの通いメディア５６への記録を完了する。次に、暗号化した画像データを記録した通いメディア５６をサービス受付店舗４０に持ち込んだ後の店舗端末４６での処理について説明する。
【００３２】
図４は、図１に示す店舗端末４６の復号化プログラム実行時の処理内容を説明するフローチャートである。
まず、店舗端末４６は、ステップＳ６０にて、復号化プログラムを起動する。次いで、店舗端末４６は、ステップＳ６１にて、店舗端末４６に通いメディア５６が接続されているか否かの判断をする。通いメディア５６が接続されていなければ（ＮＯ）、店舗端末４６は、ステップＳ６２にて、エラーメッセージを表示する。通いメディア５６が接続されていれば（ＹＥＳ）、店舗端末４６は、鍵管理サーバ４２にアクセスするためのＩＤとパスワードの入力を要求する。
【００３３】
ステップＳ６３にて、ＩＤとパスワードがＧＵＩを介して入力されると、鍵管理サーバ４２が、入力されたＩＤとパスワードを、ステップＳ６４にて認証する。ステップＳ６５の認証の結果、認証できない場合（ＮＯ）、鍵管理サーバ４２は、その旨を店舗端末４６に通知し、店舗端末４６にてエラーメッセージが表示される（ステップＳ６２）。ステップＳ６５の認証の結果、認証できた場合（ＹＥＳ）、鍵管理サーバ４２は、ステップＳ６６に進み、認証がとれたことを店舗端末４６に通知する。店舗端末４６は、この認証通知を受け、ステップＳ６７にて、現在接続されている通いメディア５６から通いメディアＩＤを読み取り、これを鍵管理サーバ４２に送信する。
【００３４】
鍵管理サーバ４２は、ステップＳ６８にて、店舗端末４６からの通いメディアＩＤを受信し、受信した通いメディアＩＤに対応する復号鍵がデータベース４４に記録されているか否かを判断する。復号鍵が記録されていない場合（ＮＯ）、ステップＳ６２に戻り、店舗端末４６にてエラーメッセージが表示される。一方、復号鍵が記録されていた場合（ＹＥＳ）、鍵管理サーバ４２は、ステップＳ６９にて、その復号鍵を店舗端末４６に送信する。
【００３５】
店舗端末４６は、ステップＳ７０にて、鍵管理サーバ４２から送信されてきた復号鍵を取得し、ステップＳ７１にて、通いメディア５６に記録されている暗号化された画像データの復号化を行う。次いで、ステップＳ７２にて、復号化した画像データをディスプレイに表示させる。次に、ステップＳ７３にて、例えば画像処理やプリント処理等を行って加工品を作成し、一連の処理を終了する。そして、作成した加工品をサービス利用者に渡してサービスを完了する。サービスを完了した後は、通いメディア５６に記録されている全てのデータと、この通いメディア５６に対応してデータベース４４に記録されている通いメディアＩＤ、暗号鍵、及び復号鍵を、それぞれ店舗端末４６と鍵管理サーバ４２にて消去する。
【００３６】
以上のように、図１に示すシステムによれば、通いメディアに記録された暗号化されたデジタルデータは、その通いメディアに対応して生成された復号鍵を取得可能な店舗端末４６でしか復号化することができない。このため、サービス利用者とサービス実施側以外の第三者が通いメディアを取得したとしても、情報が漏洩することはなく、サービス利用者からサービス実施側にデジタルデータを渡す際のセキュリティを十分に確保することができる。又、サービス完了後は、復号鍵がデータベース４４から消去されるため、サービス完了後のセキュリティも十分に確保することができる。
【００３７】
又、サービス実施側は、暗号鍵を記録した通いメディアをサービス利用者に提供し、これを用いてデジタルデータの受け取りを行うため、インターネット等を用いたデジタルデータの受け取りシステムに比べてシステム構築にかかるコストを抑えることができる。
【００３８】
尚、以上の説明では、利用者端末５２に暗号化プログラムが予めインストールされているものとしたが、この暗号化プログラムは、サービス実施側において通いメディア５６に予め記録しておくようにしても良い。このようにすることで、暗号化プログラムをサービス利用者に事前に取得しておいてもらう手間を省くことができ、より利便性の高いサービスを提供することが可能となる。
【００３９】
又、以上の説明では、店舗端末４６と鍵管理サーバ４２を別々のコンピュータとしているが、これらは同一のコンピュータであっても良い。
【００４０】
又、以上の説明では、通いメディア５６を作成した店舗端末４６にて、デジタルデータの復号化も行っているが、通いメディアを作成する端末と、デジタルデータの復号化を行う端末は別々であっても良い。例えば、サービス実施側は、インターネット等でサービス利用者から通いメディアの郵送の要求を受け付け、通いメディアを所定の場所で作成したのち、サービス利用者に郵送する。そして、サービス利用者は、受け取った通いメディアにデジタルデータを記録した後、自身の好きな店舗にそれを持ち込んで加工品の依頼を行う。通いメディアを受け取った店舗では、その店舗にある店舗端末から鍵管理サーバ４２にアクセスし、受け取った通いメディアに対応する復号鍵を用いて復号化を行う。このようにすれば、通いメディアを持ち込む店舗をサービス利用者によって自由に選ぶことができ、便利である。
【００４１】
又、以上のシステムで用いる通いメディアは、ＵＳＢフラッシュメモリ以外に、ＦＤ、ＭＯ、ＣＤ、及びＤＶＤ等を用いることもできる。
【図面の簡単な説明】
【００４２】
【図１】本発明の実施形態を説明するためのデジタルデータ加工品提供サービス実施システムの概略構成を示す図
【図２】図１に示す店舗端末の通いメディア作成プログラム実行時と鍵管理サーバの鍵管理プログラム実行時のそれぞれの処理内容を説明するフローチャート
【図３】図１に示す利用者端末の暗号化プログラム実行時の処理内容を説明するフローチャート
【図４】図１に示す店舗端末の復号化プログラム実行時の処理内容を説明するフローチャート
【符号の説明】
【００４３】
４０  サービス受付店舗
４２  鍵管理サーバ
４４  データベース
４６  店舗端末
５２  利用者端末
５６  通いメディア
【図１】
2007082064.tif 000003
【図２】
2007082064.tif 000004
【図３】
2007082064.tif 000005
【図４】
2007082064.tif 000006